(57)【要約】【課題】収容したカメラモジュール等のモジュールを確実にロックして抜け止めするとともに低背化を図ること。【解決手段】カメラモジュールを挿入する収容部１１０内にモジュールと電気的に接続されるコンタクトピン１２０が配設されている。抜け止め部材１５０は、収容部１１０の側方に配設され、モジュールが挿入される際に弾性変形して、収容部１１０内に突出するアーム部１５８の先端部である爪部１５９を収容部１１０の側方に移動させるとともに、収容部１１０に収容されたカメラモジュールの係合部２３０に係合する。収容部１１０の側方で収容部１１０側に突出する第１胴体部１５４の先端から収容部１１０と離間する方向に折曲されて上方に延びる第２胴体部１５６の上端部にアーム部１５８が接続されている。【選択図】図１
2008311149.tif 000002
【特許請求の範囲】
【請求項１】
モジュールを挿入する収容部が上方に開口して設けられたコネクタ本体と、
前記収容部内に配設され、当該収容部に収容されるモジュールと電気的に接続される接続部と、
前記コネクタ本体において前記収容部の側方に配設され、前記モジュールが挿入される際に弾性変形して、前記収容部内に突出するアーム部の先端部を前記収容部の側方に移動させるとともに、前記収容部に前記モジュールが収容された際に、復元して、前記先端部が前記モジュールの表面に係合する可撓性を有する抜け止め部材とを備え、
前記アーム部は、前記収容部の側方で挿入方向に沿って配設される胴体部の上端部から前記収容部側に折曲されて設けられ、
前記胴体部は、前記収容部の側方で前記収容部側に突出する第１胴体部と、前記第１胴体部の先端から前記収容部と離間する方向に折曲されて上方に延びる第２胴体部とを有することを特徴とするモジュールコネクタ。
【請求項２】
前記コネクタ本体には、前記収容部から離間する方向への前記第２胴体部の移動を規制する規制壁部が配置されている請求項１記載のモジュールコネクタ。
【請求項３】
前記規制壁部は、内面側で前記収容部と対向する前記第２胴体部の上面側及び外面側に配置されている請求項２記載のモジュールコネクタ。
【発明の詳細な説明】
【技術分野】
【０００１】
本発明は、固体撮像素子を有するカメラモジュール等のモジュールが接続されるモジュールコネクタに関する。
【背景技術】
【０００２】
従来、カメラモジュールなどの電子部品であるモジュールを接続するコネクタでは、例えば、特許文献１に示すように、モジュールを収容する収容部内に突出して、収容部内のモジュールの抜け止めを行うバネフックが設けられている。
【０００３】
図７及び図８は、従来のコネクタの説明に供する図であり、図７は従来のコネクタの構成の説明に供する、コネクタと、コネクタに装着されるモジュールを示す概略縦断面図、図８は図７に示すコネクタにモジュールが装着された状態を示す概略縦断面図である。
【０００４】
図７及び図８に示すコネクタ１０は、組み込まれたモジュール２０を機器に取り付けるものである。
【０００５】
まず、このコネクタ１０に装着されるモジュール２０について説明する。モジュール２０は、帯電話等に実装するカメラモジュールであり、底面に基板２１が取り付けられた概略四角形のモジュール本体２３の上部にレンズ部２４が設けられている。また、モジュール本体２３のコーナ部近傍には、モジュール本体２３の途中から上面までを連続して切り欠くことによって係合部２２が形成されている。なお、基板２１は、コネクタ１０の接触子片と接続する複数の接触パッド（図示せず）を有する。
【０００６】
コネクタ１０は、上方に開口し、モジュール２０を組み込む収容部１１を有するハウジング１２と、収容部１１の内面に基板２１の接触パッドと電気的に接触する接触子片（図示省略）と、モジュール２０の係合部２２に係合するバネフック１３とを有する。
【０００７】
バネフック１３は、可撓性を有し、ハウジング１２の外周面を被覆するシールドケース１４から収容部１１内に延出しており、先端の自由先端部１３ａで、収容部１１に収容されるモジュールの係合部２２と係合することによってモジュールの抜けを防止する。
【０００８】
このバネフック１３は、シールドケース１４の上端部から、ハウジング１２内を通り収容部１１の底面１０ａの中心側に向かって傾斜するように配置され、自由先端部１３ａは、収容部内に位置している。
【０００９】
モジュール２０をコネクタ１０の上方から収容部１１内に落とし込むように組み込むと、バネフック１３は、モジュール２０の下面の下方への押圧によって弾性変形して外側に逃がされる。
【００１０】
そして、モジュール２０が収容部１１内の所定の位置まで挿入されると、バネフック１３の自由先端部１３ａは、基板の接触パッドと接触子片とが接触した状態で、復元して、係合部２２の係合面２２ａ、すなわちモジュール２０の上面と係合する（図８参照）。これにより、バネフック１３は、コネクタ１０に装着されたモジュール２０の抜け止めを防止する。
【００１１】
また、カメラモジュールを取り外す際、バネフック１３の自由先端部１３ａは、係合部２２とのロック位置の外側で、取り外し方向に移動するカメラモジュールの側面を押圧しながら摺動する。
【００１２】
この摺動によるバネフック１３自体の変形を防止し、自由先端部１３ａの復元力を確保するために、バネフック１３では、シールドケース１４の上端から自由先端部１３ａまで、所定長Ｌの変形部位を有する構成となっている。
【特許文献１】特開２００６−３７４４３号公報
【発明の開示】
【発明が解決しようとする課題】
【００１３】
近年、カメラモジュールなどのモジュールを搭載する携帯電話などの電子機器において小型化が図られており、これに伴い、モジュールの搭載に用いられるモジュールコネクタ自体の低背化が望まれている。
【００１４】
しかしながら、従来のモジュールコネクタの構成では、モジュールを取り外す際のバネフック１３の変形を防ぎ、自由先端部１３ａの復元力を確保するために、シールドケース１４の上端から自由先端部１３ａまでの、変形する部位の長さＬを確保する必要がある。
【００１５】
このため、収容部１１を囲む側壁部は、その上端から収容部１１の底面１０ａ側に向かって突出する変形部位の長さＬを確保できる分の高さＬ２が必要となり、低背化が困難であった。
【００１６】
本発明はかかる点に鑑みてなされたものであり、収容したカメラモジュール等のモジュールを確実にロックして抜け止めするとともに低背化を図ることができるモジュールコネクタを提供することを目的とする。
【課題を解決するための手段】
【００１７】
本発明のカメラモジュールコネクタは、モジュールを挿入する収容部が上方に開口して設けられたコネクタ本体と、前記収容部内に配設され、当該収容部に収容されるモジュールと電気的に接続される接続部と、前記コネクタ本体において前記収容部の側方に配設され、前記カメラモジュールが挿入される際に弾性変形して、前記収容部内に突出するアーム部の先端部を前記収容部の側方に移動させるとともに、前記収容部に前記カメラモジュールが収容された際に、復元して、前記先端部が前記カメラモジュールの表面に係合する可撓性を有する抜け止め部材とを備え、前記アーム部は、前記収容部の側方で挿入方向に沿って配設される胴体部の上端部から前記収容部側に折曲されて設けられ、前記胴体部は、前記収容部の側方で前記収容部側に突出する第１胴体部と、前記第１胴体部の先端から前記収容部と離間する方向に折曲されて上方に延びる第２胴体部とを有する構成を採る。
【発明の効果】
【００１８】
本発明によれば、収容したカメラモジュール等のモジュールを確実にロックして抜け止めするとともに低背化を図ることができる。
【発明を実施するための最良の形態】
【００１９】
以下、本発明の実施の形態について、図面を参照して詳細に説明する。
【００２０】
図１は、本発明の一実施の形態に係るコネクタの構成の説明に供する斜視図である。図１に示す本実施の形態に係るコネクタ１００は、基板に電子部品であるカメラモジュールを実装する際に用いられるものである。
【００２１】
なお、このコネクタ１００を介して基板に実装されるカメラモジュールは、例えば、ＣＭＯＳカメラモジュール等の固体撮像素子に光を導くレンズを有するレンズユニットの下部２１０（図５参照）に、略直方体形状をなし、矩形状の底面に互いに平行な離間する２辺部のそれぞれに沿ってコンタクトが配設されたベース部２２０（図５参照）を有する。コネクタ１００は、このベース部２２０を収容することによって、カメラモジュールを保持する。
【００２２】
図１に示すコネクタ１００は、上方で開口し、カメラモジュール（図示省略）を収容する凹状の収容部１１０を備えた方形箱状に形成され、コンタクトピン１２０が装着されたハウジング１３０と、ハウジング１３０の周囲を被覆する平面視矩形状のシェル部１４０と、収容部１１０に収容されるカメラモジュールをロックして抜け止めを防止する抜け止め部材１５０とを有する。コネクタ１００では、ハウジング１３０及びシェル部１４０とでコネクタ本体が構成されている。
【００２３】
図２は、本発明の一実施の形態に係るコネクタにおいて、シェル部を外したハウジングの斜視図、図３は、図１に示すコネクタの構成の説明に供する断面図である。
【００２４】
図１〜図３に示すハウジング１３０は、合成樹脂等の絶縁材からなり、矩形平板状の底板部１３２と、底板部１３２において離間する平行な２辺部からそれぞれ垂直に立ち上がる側壁部１３４、１３５とを有する。
【００２５】
底板部１３２は、収容部１１０の底面部分を仕切り、当該収容部１１０の収容されるカメラモジュールの底面（ベース部の底面）形状に対応している。また、側壁部１３４、１３５は、互いに対向配置されており、互いに対応する内周面にて、収容部１１０の一対の側面部分を仕切る。
【００２６】
底板部１３２には、図１及び図２に示すように、２辺部のそれぞれに沿って、それぞれ互いに対向する方向に延びる複数のスリット１３２ａが形成され、これらスリット１３２ａからコンタクトピン１２０の先端部である接触部１２２が、底面１３２ｂから上方に突出した状態で並設されている。
【００２７】
コンタクトピン１２０は、収容部１１０に収容されるカメラモジュールのコンタクトに接続されるものであり、側壁部１３４、１３５において、カメラモジュールの底面（ベース部の底面）に配設されたコンタクトに対応した箇所に、圧入によって配設されている。
【００２８】
これらコンタクトピン１２０は、それぞれ可撓性を有する導電性部材からなり、ここでは、長尺の金属板に屈曲等の加工を施すことによって形成されている。
【００２９】
具体的には、コンタクトピン１２０は、長尺の導電性を有する金属板により形成され、コネクタ１００の底面（ハウジング１３０の下面）と平行に、ハウジング１２０の下端から外方に突出するリード部１２４と、側壁部内に配設されたピン固定部１２６と、先端に接触部１２２が形成されたピンアーム部１２８とを有する。
【００３０】
リード部１２４は、コネクタ１００が基板に載置された際に、基板上のパターンに接合されるものであり、基端にて、コンタクトピン１２０の中央部分を形成するピン固定部１２６の一端部に連続している。
【００３１】
ピン固定部１２６は、ここでは、側壁部１３４、１３５内において、リード部１２４の基端から立ち上がり、この立ち上がり部分の上端で、折曲されて立ち下がる逆Ｕ字状に形成されている。ピン固定部１２６は、図１及び図２では、収容部１１０の側方で露出する立ち下がり部分のみ示され、図３では、立ち上がり部分が示されている。
【００３２】
この立ち下がり部分は、弾性変形自在であり、側壁部１３４、１３５の内面に沿って配置され、側壁部１３４、１３５と底板部１３２とで形成する角部近傍に位置する先端にピンアーム部１２８が連続して形成されている。
【００３３】
ピンアーム部１２８は、立ち下がり部分の先端から折曲されて、側壁部１３４、１３５の下端から底板部１３２のスリット１３２ａ内に挿通されている。これにより、ピンアーム部１２８は、側壁部１３４、１３５の下端から収容部の内方に向かって上方に傾斜しながら突出しており、下方向（カメラモジュールの収容部に対する挿入方向）に弾性変形自在となっている。
【００３４】
これにより、ピンアーム部１２８の先端の接触部１２２を、収容部１１０内に配置させるとともに、カメラモジュールの挿入方向に移動自在に位置させている。
【００３５】
接触部１２２は、挿入方向に抗する方向（挿脱方向）に付勢されており、ここではカメラモジュールの挿入方向と押圧される方向とが同一方向としている。このため、カメラモジュールを収容部内に挿入するだけで、接触部１２２は、カメラモジュールのコンタクトと互いに押圧しあう状態で接触する。
【００３６】
コンタクトピン１２０は、側壁部１３４、１３５のそれぞれに、挿入方向と直交する横方向に所定間隔あけて配設されている。また、コンタクトピン１２０のそれぞれの側壁部１３４、１３５における接触部１２２同士は、底板部１３２を挟み互いに対向配置されている。
【００３７】
これらコンタクトピン１２０が配設された側壁部１３４、１３５の上辺部１３４ａ、１３５ａの両端部には、図２に示すように、それぞれ中央部分より高さレベルが低くなるように切欠部１３７が形成されている。なお、図３では、両側壁部１３４，１３５の下部分と、切欠部１３７とが図示されている。
【００３８】
図４は、本発明の一実施の形態に係るコネクタの構成の説明に供する平面図である。
【００３９】
対向する一対の側壁部１３４、１３５は、図１、図３及び図４に示すように、ハウジング１３０の周囲を囲むシェル部１４０によって、それぞれの背面とともに、互いに対応する両側端部間が被覆されている。
【００４０】
図１及び図４に示すように、シェル部１４０は、底板部１３２の２辺から立ち上がる側壁部１３４、１３５の背面にそれぞれ配置される互いに平行な一対の背板部１４０ａ、１４０ｂと、一対の背板部１４０ａ、１４０ｂの両端部のそれぞれに直交して接続され、一対の側壁部１３４、１３５をそれぞれ側方から被覆する一対の側板部１４０ｃ、１４０ｄとを有する。
【００４１】
コネクタ１００の収容部１１０は、一対の側壁部１３４、１３５及び一対の側板部１４０ｃ、１４０ｄによって仕切られている。
【００４２】
また、図１及び図４に示すように、底板部１３２を挟み互いに対向する側板部１４０ｃ、１４０ｄのそれぞれの内面には、上端側から収容部１１０側に突出して形成され、内面側に弾性変形自在な押圧板１４８が形成されている。押圧板１４８は、収容部１１０にカメラモジュールが挿入された際に、収容部１１０に挿入されたカメラモジュールの側面を押圧して保持する。
【００４３】
また、底板部１３２を挟み側壁部１３４、１３５及び側壁部１３４、１３５を被覆する背板部１４０ａ、１４０ｂとで形成される一対の側壁部分には、背板部１４０ａ、１４０ｂに設けられた抜け止め部材１５０が、側壁部１３４、１３５の切欠部１３７を挿通して収容部１１０内に先端部を突出させた状態で配置されている。
【００４４】
ここで、抜け止め部材１５０が設けられた背板部１４０ａ、１４０ｂを備えるシェル部１４０の構成について詳細に説明する。
【００４５】
図１に示すように、シェル部１４０は、ハウジング１３０の下部に外嵌される矩形筒状のフレーム本体部１４２と、フレーム本体部１４２の上部に、フレーム本体部１４２の外形に対応させて嵌め込まれる矩形筒状の補助フレーム部１４４とを有する。
【００４６】
フレーム本体部１４２は、一対の側壁部１３４、１３５における下部の背面に沿って配置され、背板部１４０ａ、１４０ｂの下部を形成する下部フレーム１４２１と、下部フレーム１４２１の両端部間に直交して設けられ、側板部１４０ｃ、１４０ｄの外面部分を構成する外板フレーム１４２２とを有する。
【００４７】
フレーム本体部１４２の下辺部（詳細には、下部フレーム１４２１の下辺部及び外板フレーム１４２２の下辺部）には、基板に実装される際に、基板のグランド部に接続されるグランド端子部１４２１ａ、１４２２ａが形成されている（図１及び図３参照）。
【００４８】
フレーム本体部１４２の外板フレーム１４２２の高さ（カメラモジュールの収容部に対する挿入方向の長さ）は、側壁部１３４、１３５の高さに略等しい。
【００４９】
また、外板フレーム１４２２と当該外板フレーム１４２２の延在方向に沿う底板部１３２の側辺部との間には、補助フレーム１４４の内板フレーム１４４２が配設されている。
【００５０】
この内板フレーム１４４２は、側板部１４０ｃ、１４０ｄの内面部分を構成し、外板フレーム１４２２とともにシェル部１４０の側板部１４０ｃ、１４０ｄを形成している。なお、内板フレーム１４４２の上端辺には、当該上端片に沿って、外方に傾斜するフランジ部１４４２ｂが形成され、このフランジ部１４４２ｂは、モジュールを収容部１１０内に円滑に案内する。
【００５１】
下部フレーム１４２１の上辺部の両端部には、それぞれ上方に延出され、側壁部１３４、１３５の上端部の高さ近傍で折り返されることによって、収容部１１０内に突出した先端部（図３及び図５に示す爪部１５９）を備える抜け止め部材１５０が設けられている。
【００５２】
また、フレーム本体部１４２の下部フレーム１４２１上で、且つ、抜け止め部材１５０の外側に補助フレーム１４４の上部フレーム１４４１が配設され、上部フレーム１４４１は、背板部１４０ａ、１４０ｂの上部を構成している。
【００５３】
ここでは、抜け止め部材１５０は、下部フレーム１４２１と同一の金属板で一体的に形成されており、可撓性を有する。
【００５４】
この抜け止め部材１５０において、収容部１１０内に突出する部位は、ハウジング１３０の側壁部１３４、１３５の上方から収容部１１０内方に向かって傾斜して配置され、接近する方向に弾性変形する。これにより、その下端部（図３及び図５で示す爪部１５９）を側壁部１３４、１３５側に移動自在としている。
【００５５】
抜け止め部材１５０は、シールド部１４０を構成する可撓性を有する長尺の板状部材を折曲加工することにより形成されている。ここでは、抜け止め部材１５０は、弾性変形可能な長尺の平板状の金属板を、長手方向に離間する所定箇所で折曲加工することによって形成している。
【００５６】
図１、図３及び図４に示す抜け止め部材１５０は、シールド部１４０を形成する薄板状の金属板の一部、つまり、金属板において下部フレーム１４２１に連続する部位を折曲することによって形成されている。つまり、抜け止め部材１５０は、矩形筒状のシールド部１４０と一体的に形成されており、シールド部１４０と別体に構成されたコネクタと比較して、組み立て時の工数を削減することができる。
【００５７】
具体的に、抜け止め部材１５０は、図３に示すように、ハウジング１３０の外周面に沿って基端部から立ち上がる下部フレーム１４２１の先端から、切欠部１３７の底面に沿って折曲され、収容部１１０の内側に突出する第１胴体部１５４と、第１胴体部１５４の先端から収容部１１０の外側に折曲され、上方に傾斜する第２胴体部１５６と、第２胴体部１５６の先端から、収容部１１０の内側に向かって折曲され、下方に傾斜して延びるアーム部１５８と、アーム部の先端に形成された爪部１５９とを有する。
【００５８】
第１胴体部１５４は、下部フレーム１４２１の上端から折曲して、下部フレーム１４２１の内面側（収容部１１０側）に向かって突出するように設けられている。
【００５９】
第１胴体部１５４の先端部１５４ａは、切欠部１３７内において、下部フレーム１４２１が被覆する側壁部１３４（側壁部１３５）の厚さの略中間位置に配置され、この先端部１５４ａから第２胴体部１５６が上方に延出するように形成されている。
【００６０】
第２胴体部１５６の上端部１５６ａは、下部フレーム１４２１が位置する平面と略同一平面よりも内面側、つまり収容部１１０側に位置し、且つ、側壁部１３４（側壁部１３５）の上端部とほぼ同様の高さ位置に配置されている。ここでは、第２胴体部１５６の上端部１５６ａは、下部フレーム１４２１上に、当該下部フレーム１４２１と略同一平面に配置された上部フレーム１４４１より内側に配置され、その背面部分で上部フレーム１４４１の内面と対向している。なお、第２胴体部１５６の背面部分の一部、ここでは、上端部１５６ａの背面部分で上部フレーム１４４１と当接するように配置されている。つまり、上部フレーム１４４１は、収容部１１０から離間する方向への第２胴体部１５６の移動を規制する規制壁部として機能する。
【００６１】
この第２胴体部１５６の上端部１５６ａに連続してアーム部１５８が収容部１１０側に突出し、その先端部には、下面が湾曲し、カメラモジュール（図６参照）の被係合部２３０と係合する爪部１５９が形成されている。
【００６２】
また、アーム部１５８は、その略中央部分から先端部１５８ａまでを、側壁部１３４（側壁部１３５）の内壁面から内方に突出させている。
【００６３】
本実施の形態の抜け止め部材１５０では、下部フレーム１４２１と第１胴体部１５４、第１胴体部１５４と第２胴体部１５６、及び第２胴体部１５６とアーム部１５８は、それぞれ湾曲した折曲部分によって連続している。ここでは、下部フレーム１４２１と第１胴体部１５４、第１胴体部１５４と第２胴体部１５６、第２胴体部１５６とアーム部１５８の順に、それぞれのなす角度が小さくなっている。
【００６４】
この抜け止め部材１５０では、下部フレーム１４２１の上端から爪部１５９の間に、下部フレーム１４２１と第１胴体部１５４との間の折曲部分１５３、第１胴体部１５４、第１胴体部１５４と第２胴体部１５６との間の折曲部分１５５、第２胴体部１５６とアーム部１５８との間の折曲部分１５７、及びアーム部１５８が介在している。
【００６５】
また、第１胴体部１５４、第２胴体部１５６及びアーム部１５８の基端部は切欠部１３７内に、移動自在に配置されている。
【００６６】
これにより、コネクタ自体の低背化を図るため、コネクタ１００の高さを低くして、抜け止め部材１５０が配設される収容部１１０を仕切る側壁部分の高さレベルが規制された構成であっても、当該高さレベルを超えることなく、収容部１１０内に突出する先端の爪部１５９を収容部１１０の外方に移動させるために必要な弾性変形部分の長さ（下部フレーム１４２１の上端から爪部１５９までの長さ）を確保することができる。
【００６７】
また、抜け止め部材１５０では、第１折曲部分１５３からアーム部１５８までの構成によって、先端の爪部１５９を収容部１１０内から退避させるための弾性変形部分を構成しているため、薄板状に形成しても弾性力が確実に得られると共に、加工が容易で安価対応が可能となっている。
【００６８】
なお、シェル部１４０において、側板部１４０ｃ、１４０ｄに形成された押圧板１４８は、可撓性部材からなり、内板フレーム１４４２に一体的に形成され、ここでは、内板フレーム１４４２内面から収容部１１０側に突出するように配置されている。ここでは、内板フレーム１４４２の内面において、上端側から下端側に向かって延在するように形成され、弾性変形することによって、収容部１１０側に突出する中央部分が内板フレーム１４４２の内面側に移動自在となっている。
【００６９】
次に、本実施の形態に係るコネクタ１００にカメラモジュールを装着する際の動作を説明する。
【００７０】
図５は、本発明に係るコネクタにカメラモジュールを装着した状態を示す要部断面図である。なお、図５に示すカメラモジュール２００は、従来のカメラモジュールと比して、底面から上面までの高さのみ異なり、コネクタ１００に収容される部位の基本的構成は略同様である。つまり、カメラモジュール２００は、外方に張り出したベース部２２０の外縁部の上部には、コネクタ１００に装着された際に、コネクタ１００の抜け止め部材１５０と係合する被係合部２３０が形成されているものとする。
【００７１】
コネクタ１００に対して、カメラモジュールを収容部１１０に挿入すると、抜け止め部材１５０は、カメラモジュール２００のベース部２２０の側面により、ハウジング１３０の側壁部１３４、１３５の内周面側に押圧されて変形する。
【００７２】
そして、ベース部２２０の底面のコンタクト（図示しない）が、接触部１２２に当接して、下方に押圧することによって、コンタクトと接触部１２２が互いに押圧し合う状態で接触する（図示しない）。カメラモジュール２００が下方に移動すると、抜け止め部材１５０は、カメラモジュール２００のベース部２２０の側面を摺動して、カメラモジュール２００に形成された被係合部２３０上の係合空間まで移動する。
【００７３】
抜け止め部材１５０が係合空間の側方に位置すると、抜け止め部材１５０の付勢状態は解除され、収容部１１０の内方に突出し、カメラモジュールの被係合部２３０と係合して、カメラモジュール２００の抜脱方向（挿入方向と逆方向）への移動を規制する。これによりカメラモジュール２００に対して、コネクタからの抜け止めを行うことができる。
【００７４】
このとき、カメラモジュール２００は、コネクタ１００の底面１３２ｂから上方に突出するコンタクトピン１２０の接触部１２２により抜脱方向、つまり取り外し方向Ｍ１に付勢されているとともに、被係合部２３０で係合する抜け止め部材１５０の爪部１５９により上方から押さえ込まれている。
【００７５】
抜け止め部材１５０では、カメラモジュール２００の取り外し方向Ｍ１への移動により、アーム部１５８に対して、カメラモジュール２００から離間する方向Ｍ２への荷重が加わる。このアーム部１５８に加わるＭ２方向の荷重によって、第２胴体部１５６は、折曲部分１５５を起点に上部フレーム１４４１側に移動する。
【００７６】
移動した第２胴体部１５６の上端部１５６ａは、背板部１４０ａ、１４０ｂの上部を構成する上部フレーム１４４１の裏面に当接する。これにより、第２胴体部１５６の外方への移動、つまり、爪部１５９自体の係合状態の解除方向への移動が規制される。
【００７７】
したがって、抜け止め部材１５０の爪部１５９は、上部フレーム１４４１により、カメラモジュール２００の被係合部２３０との係合解除方向への移動を強制的に規制され、被係合部２３０との係合状態が保持される。
【００７８】
このように、本実施の形態のコネクタ１００によれば、抜け止め部材１５０は、第２胴体部１５６の上端部１５６ａで背板部１４０ａ、１４０ｂの上部を構成する上部フレーム１４４１の裏面に対向している。このため、カメラモジュール２００がコネクタ１００から取り外し方向に移動すると、爪部１５９の切欠部１３７側への移動に伴い、第２胴体部１５６は、折曲部分１５５を起点に上部フレーム１４４１側に移動する。
【００７９】
これにより、第２胴体部１５６の上端部１５６ａは、上部フレーム１４４１の裏面に当接して、移動が規制され、第２胴体部１５６にアーム部１５８を介して連続する爪部１５９に対する、切欠部１３７側への移動を規制する。
【００８０】
このように、コネクタ１００では、モジュール２００を挿入する収容部１１０が上方に開口して設けられたハウジング１３０及びシェル部１４０を備えるコネクタ本体と、前記収容部１１０内に配設され、当該収容部１１０に収容されるモジュールと電気的に接続されるコンタクトピン（接続部）１２０と、前記コネクタ本体において前記収容部１１０の側方に配設され、前記モジュール２００が挿入される際に弾性変形して、前記収容部１１０内に突出するアーム部１５８の先端部１５９を前記収容部１１０の側方に移動させるとともに、前記収容部１１０に前記モジュール２００が収容された際に、復元して、前記先端部１５９が前記モジュール２００の表面（係合部２３０）に係合する可撓性を有する抜け止め部材１５０とを備える。
【００８１】
前記アーム部１５８は、前記収容部１１０の側方で挿入方向に沿って配設される胴体部の上端部から前記収容部１１０側に折曲されて設けられ、前記胴体部は、前記収容部の側方で前記収容部１１０側に突出する第１胴体部１５４と、前記第１胴体部１５４の先端から前記収容部１１０と離間する方向に折曲されて上方に延びる第２胴体部１５６とを有している。
【００８２】
したがって、抜け止め部材１５０の爪部１５９は、上部フレーム１４４１により、カメラモジュール２００の被係合部２３０との係合解除方向への移動を強制的に規制されることとなり、被係合部２３０との係合状態をより強固にすることができる。
【００８３】
このように、本実施の形態のコネクタ１００によれば、収容部１１０に収容するカメラモジュール２００のコネクタ１００に対する抜けを確実に防止できるとともに、収容部１１０を囲む側壁部自体の高さを低くして低背化を図ることができる。
【００８４】
ここでは、上部フレーム１４４１は、抜け止め部材１５０における第２胴体部１５６背面側のみ当接する構成としたが、これに限らず、上記構成のコネクタ１００において、図６に示すように、上部フレーム１４４１の上端辺部から収容部１１０側に突出し、側壁部１３４，１３５の上端を覆う上辺部１４４５を設けてもよい。
【００８５】
これにより、抜け止め部材１５０では、爪部１５９が、上部フレーム１４４１によって、収容部１１０の外側への移動及び上方への移動を強制的に規制されることとなる。
【００８６】
つまり、収容部１１０内に収容されたモジュール２００が抜脱方向に移動によって、爪部１５９を介してアーム部１５８にＭ２方向の荷重が加わると、第２胴体部１５６の上端部１５６ａが上部フレーム１４４１の裏面に当接するとともに、アーム部１５８の基端部１５８ｂが上端辺部１４４５に当接する。
【００８７】
このように、図６に示すコネクタ１００の変形例では、上部フレーム１４４１及び上辺部１４４５は、内面側で収容部１１０と対向する第２胴体部１５６の上面側及び外面側に配置されている。
【００８８】
これにより、抜け止め部材１５０は、上部フレーム１４４１及び上辺部１４４５によって移動先となる収容部１１０側方及び上方への移動が強制的に規制される。
【００８９】
よって、アーム部１５８の先端部１５８ａに連続する爪部１５９の収容部側方及び上方への移動、つまりモジュールの被係合部２２０（図５参照）とのロック解除方向への移動が強制的に規制され、挿入されるモジュールに対する抜け止め部材１５０自体のロック強度を増加させることができる。
【００９０】
また、本実施の形態では、ハウジング１３０を囲むシェル部１４０の側板部１４０ｃ、１４０ｄは、フレーム本体部１４２の外板フレーム１４２２と補助フレーム１４４の内板フレーム１４４２とを重ねて構成されている。
【００９１】
また、シェル部１４０は、一対の側壁部１３４、１３５を囲むように配置され、一対の側壁部１３４、１３５において互いに離間して対向する側辺部同士の間に架設される板状の一対の側板部１４０ｃ、１４０ｄを有する。これら側板部１４０ｃ、１４０ｄは、底板部１３２、一対の側壁部１３４、１３５とともに収容部１１０を形成している。
【００９２】
すなわち、収容部１１０を囲む４つの側壁部分のうち、対向する一対の側壁部分は、厚みを有する樹脂製のハウジング１３０の側壁部を用いることなく、金属板からなるシェル部１４０の外板フレーム１４２２及び内板フレーム１４４２のみで形成している。言い換えれば、コネクタ１００において、収容部１１０を四方で囲む側壁部分のうち、対向する一対の側壁部分（側板部１４０ｃ、１４０ｄ）の厚みは、ハウジング１３０の側壁部１３４、１３５を有する側壁部分よりも薄いとともに、当該一対の側壁部分は、樹脂製の側壁部よりも強度が高い金属製の外板フレーム１４４２及び内板フレーム１４２２により形成されている。
【００９３】
これにより、本実施の形態のコネクタ１００では、収容部１１０の四方を周壁部で囲まれた従来のコネクタと比較して、側板部間の距離が、長さＡの側壁部の厚み分、短くなっている。よって、コネクタ自体の実装基板に対する実装スペースを、従来のコネクタと比較して狭小化を図ることができる。
【００９４】
したがって、近年、カメラモジュールを備える携帯電話等の通信携帯端末における機能向上に伴い、多様な電子部品が基板上に搭載される場合でも、収容部を仕切る四方の側壁部分にハウジングの樹脂製の側壁部分が必要な従来のコネクタと異なり、基板上における実装スペースの更なる省スペース化を図ることができる。
【００９５】
なお、外板フレーム１４２２及び内板フレーム１４４２によりなるシェル部１４０の側板部１４０ｃ、１４０ｄは、収容部１１０に挿入されるカメラモジュールと抜け止め部材１５０とが係合する位置に対応する部位に表裏面を貫通するロック確認窓部１４６が形成されている。このロック確認窓部１４６を介して、コネクタ外部から作業者に、収容部１１０に収容されたカメラモジュールに対する抜け止め部材１５０の係合状態を視認させることができる。
【００９６】
また、外板フレーム１４２２及び内板フレーム１４４２によりなるシェル部１４０の側板部１４０ｃ、１４０ｄには、収容部１１０に挿入されるカメラモジュールのコンタクトとコンタクトピン１２０とが接触する接点高さに対応する部位に表裏面を貫通する接点確認窓部１４７が形成されている。この接点確認窓部１４７を介して、コネクタ外部から作業者に、収容部に収容されたカメラモジュールのコンタクトと、コネクタ１００のコンタクトピン１２０との接触状態を視認させることができる。
【００９７】
なお、本実施の形態のコネクタ１００では、ハウジング１３０に配設されるコンタクトピン１２０は、接触部１２２を収容部１１０の底面から上方に突出して配置したが、これに限らず、ハウジング１３０において、ハウジング１３０の側壁部１３４、１３５の内周面から収容部１１０内にピンアーム部１２８を突出させて、収容部１１０に収容されるカメラモジュールの側方で、カメラモジュールのコンタクトと接触する構成としても良い。
【００９８】
また、ハウジング１３０に形成される切欠部１３７は、一対の側壁部１３４、１３５のそれぞれにおける上辺部１３４ａ、１３５ａの両側部に形成されているが、これに限らず、収容部１１０を囲む周壁部分のどの位置にいくつ形成されてもよい。
【００９９】
また、この切欠部１３７内に配置される抜け止め部材１５０の数は、収容部１１０に収容されたカメラモジュールの抜け止めを防止する構成であれば、どのような形状で、いくつ設けられていても良い。
【０１００】
さらに、コネクタ１００では、収容部１１０を四方で囲む側壁部分に、内周面から収容部１１０側に突出する押圧板１４８及び抜け止め部材１５０が配設されている。
【０１０１】
ここでは、図４に示すように、平面視して、収容部１１０を中心に囲むように、押圧板１４８及び抜け止め部材１５０が配設されており、それぞれが、収容部１１０の収容されるカメラモジュール２００（図６参照）を、当該カメラモジュール側に向かって押圧する。
【０１０２】
これにより、抜け止め部材１５０は、押圧板１４８とともに、収容部１１０に対して、カメラモジュール２００をセンタリングして好適に挿入させることができる。
【０１０３】
なお、抜け止め部材１５０は、シェル部１４０を構成する可撓性を有する長尺の板状部材を折曲加工することにより形成されている。抜け止め部材１５０は、弾性変形可能な長尺の平板状の金属板を、長手方向に離間する所定箇所で折曲加工することによって形成している。
【０１０４】
ここでは、抜け止め部材１５０は、シェル部１４０を形成する薄板状の金属板の一部、つまり、金属板において下部フレーム１４２１に連続する部位を折曲することによって形成されている。つまり、抜け止め部材１５０は、矩形筒状のシェル部１４０と一体的に形成されており、シェル部１４０と別体に構成されたコネクタと比較して、組み立て時の工数を削減することができる。
【０１０５】
また、図１に示すように、コネクタ１００では、側板部１４０ｃ、１４０ｄのうち一方の側板部１４０ｄに、上方に開口するキー溝１４０ｅが形成されている。このキー溝１４０ｅに対応して、カメラモジュール２００（図６参照）に突部を形成する。このカメラモジュール２００を収容部１１０に挿入する際に、カメラモジュールの突部を、キー溝１４０ｅの上方に位置させてカメラモジュールを収容部１１０に挿入することによって、キー溝１４０ｅに突部を内嵌させて挿入方向に案内させつつカメラモジュールを収容部１１０内に円滑に配置させることができ、その挿入におけるカメラモジュール自体の前後左右方向の向きを規定することができる。
【０１０６】
また、コネクタ１００では、シェル部１４０は、箱型であり、金属板を加工して、抜け止め部材１５０と一体的に形成されている。このため、ハウジング１３０及びシェル部１４０を備えるコネクタを組み立てる際に、抜け止め部材１５０を別体とした場合よりも組み立て工数を減らすことができる。
【０１０７】
また、本実施の形態のコネクタでは、８つの抜け止め部材１５０によりカメラモジュール２００の抜け止めを行う構成としたが、これに限らず、抜け止め部材１５０の数は１つであってもよいし、２つ、３つ、４つ以上であっても良い。なお、上記本発明は、本発明の精神を逸脱しない限り、種々の改変をなすことができ、そして本発明が該改変させたものに及ぶことは当然である。
【産業上の利用可能性】
【０１０８】
本発明に係るコネクタは、カメラモジュールなどの電子部品を収容して基板に実装する際に、収容したカメラモジュール等のモジュールを確実にロックして抜け止めするとともに低背化を図ることができる効果を有し、携帯電話などの電子機器に、カメラモジュールなどのモジュールを脱着自在に搭載する際に有用である。
【図面の簡単な説明】
【０１０９】
【図１】本発明の一実施の形態に係るモジュールコネクタの構成の説明に供する斜視図
【図２】同コネクタにおいてシェル部を外したハウジングの斜視図
【図３】図１に示すモジュールコネクタの構成の説明に供する断面図
【図４】本発明の一実施の形態に係るモジュールコネクタの構成の説明に供する平面図
【図５】本発明の一実施の形態に係るモジュールコネクタにカメラモジュールを装着した状態を示す要部断面図
【図６】本発明の一実施の形態に係るモジュールコネクタの変形例を説明するための図
【図７】従来のコネクタの説明に供する図
【図８】従来のコネクタの説明に供する図
【符号の説明】
【０１１０】
１００  コネクタ
１１０  収容部
１２０  コンタクトピン
１３０  ハウジング
１４０  シェル部
１５０  抜け止め部材
１５４  第１胴体部
１５６  第２胴体部
１５８  アーム部
１５９  先端部（爪部）
２００  カメラモジュール
【図１】
2008311149.tif 000003
【図２】
2008311149.tif 000004
【図３】
2008311149.tif 000005
【図４】
2008311149.tif 000006
【図５】
2008311149.tif 000007
【図６】
2008311149.tif 000008
【図７】
2008311149.tif 000009
【図８】
2008311149.tif 000010